(57)【要約】      （修正有）【課題】一気にすだれを上げることができ、しかも従来のように巻き上げることもでき、さらに、すだれを半垂れ式に上げることができるようにした。また、すだれにすだれ用昇降具１個を取り付けるだけで良いようにした。【解決手段】すだれ用昇降具において、すだれの上端部に取付ける断面逆Ｕ字型の取付け部２の前面下部に前後に間仕切り枠４，５を有するケーシング３を設け、前後の間仕切り枠の上下に貫通する軸６，７を取付け、上の軸に紐を通すための溝を形成した滑車８，９をそれぞれ回転可能に挿入し、下の軸に紐を停止するストッパー部１１，１２をそれぞれ可動可能に挿入し、取付け部の後面下端に紐結び部１５を設け、取付け部の上面の前面、後面にビスを通すビス孔１４を設け、そして、すだれの下端に取付ける紐結び部を設けた紐通し金具１６とからなるものである。【選択図】図１
0003135355.tif 000002
【実用新案登録請求の範囲】
【請求項１】
すだれ用昇降具において、すだれの上端部に取付ける断面逆U字型の取付け部の前面下部に前後に間仕切り枠を有するケーシングを設け、前記前後の間仕切り枠の上下に貫通する軸を取付け、上の軸に紐を通すための溝を形成した滑車をそれぞれ回転可能に挿入し、下の軸に紐を停止するストッパー部をそれぞれ可動可能に挿入し、前記取付け部の後面下端に紐結び部を設け、前記取付け部の上面の前面、後面にビスを通すビス孔を設け、そして、すだれの下端に取付ける紐結び部を設けた紐通し金具とからなることを特徴とするすだれ用昇降具。
【請求項２】
請求項１記載のすだれ用昇降具において、前記下の軸の左横に紐用の軸を前記前後の間仕切り枠に貫通し、前記下の軸の下に前記ストッパー部の後面と当接するストッパー用軸を前記前後の間仕切り枠に貫通し、ストッパー部のした面にはギザギザの形状にした滑り止め部を設けたすだれ用昇降具。
【考案の詳細な説明】
【技術分野】
【０００１】
本考案は、すだれを昇降する器具に関するものである。
【背景技術】
【０００２】
従来のすだれ用昇降具は、すだれの上端部の中央に取り付けている。この昇降具は１個の滑車にストッパーを付けたもので、この昇降具に１本のロープを通し、このロープを引張ったり、緩めたりして、すだれを上げたり、下げたりしていて、すだれを下端部から丸く巻き上げていた。また、すだれの下端部には何の金具も使われていなかった。そのため、すだれを上げ下げすると、すだれが斜めに巻き上がったり、ロープも斜めになったりして、上げ下げがしにくくなり、また、非常に見苦しかった。  
【考案の開示】
【考案が解決しようとする課題】
【０００３】
従来のすだれ用昇降具は、すだれを下端部から巻き上げるため一気にすだれを上げること、いわゆる半垂れ式（すだれの長さの半分まで上げること）ができなかった。また、従来のすだれ用昇降具は、すだれの上端部の中央に取付けることに限定されていた。そこで、一気に半垂れ式に上げることができ、しかも、すだれ用昇降具をすだれの上端部の中央に取付けることができるのは、もちろんすだれの上端部の左右どちらでも取付けることができるようにした。これによって、すだれ昇降具のロープがすだれの中央に垂れさがらなくなり、すっきりした。
【課題を解決するための手段】
【０００４】
本考案は、すだれ用昇降具において、すだれの上端部に取付ける断面逆U字型の取付け部の前面下部に前後に間仕切り枠を有するケーシングを設け、前記前後の間仕切り枠の上下に貫通する軸を取付け、上の軸に紐を通すための溝を形成した滑車をそれぞれ回転可能に挿入し、下の軸に紐を停止するストッパー部をそれぞれ可動可能に挿入し、前記取付け部の後面下端に紐結び部を設け、前記取付け部の上面の前面、後面にビスを通すビス孔を設け、そして、すだれの下端に取付ける紐結び部を設けた紐通し金具とからなることを特徴とする。
【考案の効果】
【０００５】
本考案のすだれ用昇降具は、ケーシングの前の間仕切り枠の滑車に掛けた紐を引っ張ると、くるくるとすだれが巻き上がり、紐を手から離すと、すだれの下端をすだれの上端にまで引き上げることができる。また、ケーシングの後の間仕切り枠の滑車に掛けた紐を引っ張ると、一気にすだれの長さが半分になり、いわゆる半垂れ式になり、さらに、ケーシングの前の滑車に掛けた紐を引っ張るとすだれを最後まで巻き上げることができる。また、いずれの場合も、ストッパー部の働きで任意の高さのところで、すだれを止めることができる。逆に、すだれを下ろすときは、紐を左に少し引っ張ると、すだれが下ってくる。紐を引っ張ることを途中で止めると、すだれも止まり、望みのところまで下がるという利点がある。そして、どんな状態の場合も、すだれが傾くことがない。
【考案を実施するための最良の形態】
【０００６】
本考案は、すだれ用昇降具において、すだれの上端部に取付ける断面逆U字型の取付け部の前面下部に前後に間仕切り枠を有するケーシングを設け、前記前後の間仕切り枠の上下に貫通する軸を取付け、上の軸に紐を通すための溝を形成した滑車をそれぞれ回転可能に挿入し、下の軸にストッパー部をそれぞれ可動可能に挿入する。また、前記ストッパー部を挿入した前記下の軸の左横に紐用の軸を前記前後の間仕切り枠に貫通し、前記ストッパー部を挿入した前記下の軸の下に前記ストッパー部の後面と当接するストッパー用軸を前記前後の間仕切り枠に貫通し、さらに、前記取付け部の後面下端に紐通し部を設け、前記取付け部の上面の前面、後面にビスを通すビス孔を設け、そして、すだれの下端に取り付ける紐結び部を設けた紐通し金具とからなる。
【実施例１】
【０００７】
図１および図２は、本考案の一実施例であって、すだれの上端部に取付ける断面逆U字型の取付け部２の前面下部に前後の間仕切り枠を有するケーシング３を設ける。そして、ケーシング３に設けた前後の間仕切り枠４，５の上下に貫通する軸６，７を取付け、上の軸６に紐を通すための溝を形成した滑車８，９をそれぞれ回転可能に挿入する。下の軸７には紐を停止するストッパー部１１，１２をそれぞれ可動可能に挿入する。また、取付け部２の後面下端に紐結び部１３を設け、取付け部２の上部前面、後面にビスを通すビス孔１４を設ける。そして、すだれの下端に取付ける紐結び部１５を設けた紐通し金具１６とからなる。
【０００８】
まず、すだれの上端部中央に断面逆U字型の取付け部２を取付け、ビス孔１４にビスを通し、取付け部２をすだれの上端部中央に固定し、すだれの下端部中央に突出部１６aを孔部１６ｂに通し、紐通し金具１６を取付ける。紐の一端を取付け部２の後面下端の紐結び部１３に結び、その紐をすだれの後面に垂らし、すだれの下端部に設けた紐通し金具１６の紐結び部１５に紐を通して、その紐をすだれの前面に回して、間仕切り枠５に通し、滑車９に掛け、その紐をストッパー部１１の突起部１１a,１１ｂとの間１１cに通し、すだれの前面に垂らす。その紐がすだれの下端部を通す際、紐通し金具１６を通さなくても良い。
もう一つの紐は、一端を紐通し金具１６の紐結び部１５に結び、その紐をすだれの前面を通して、間仕切り枠４に通し、滑車８に掛け、その紐をストッパー部１２の突起部１２a,１２ｂとの間に通し、すだれの前面に垂らす。二本の紐は、それぞれ滑車８か、９のどちらに掛けても良い。また、二本の紐は、一本に繋がっていても良い。
【０００９】
そこで、ケーシング３の滑車８，９に掛けた紐２本を引っ張ると、すだれは半垂れまで上がり、さらに、そのうちの１本を引っ張ると、すだれは全部あがり、手を離すとストッパー部１１，１２が働き、紐が間仕切り枠４，５の内面に圧着され停止し、すだれは固定する。すだれは任意の位置に固定する。逆に、すだれを下ろすときは、ストッパー部１１，１２を解除すると、自動的にすだれが下がってくる。
【００１０】
ストッパー部１１の形状は、図２に示すように、略三角形の形状で、上部は軸貫通用孔があり、下部は突起部１１a,１１ｂが形成され、突起部１１a,１１ｂの先端は紐を固定する際、間仕切り枠５の内面と平行に圧着するように形成されている。突起部１１a,１１ｂの間に紐が通せるように通し孔１１ｃが形成されている。ストッパー部１２は、ストッパー部１１と同じ形状である。   
【実施例２】
【００１１】
図３および図４は、本考案の他の実施例であって、すだれの上端部に取付ける断面逆U字型の取付け部２の前面下部に前後の間仕切り枠を有するケーシング３を設ける。そして、ケーシング３に設けた前後の間仕切り枠４，５の上下に貫通する軸６，７を取付け、上の軸６に紐を通すための溝を形成した滑車８，９をそれぞれ回転可能に挿入する。下の軸７には紐を停止するストッパー部２１，２２をそれぞれ可動可能に挿入する。また、下の軸７の左横に紐がストッパー部に絡まないように、紐用の軸２４を前後の間仕切り枠４，５に貫通し、下の軸７の左下にストッパー部２１，２２の後面と当接するストッパー用軸２５を前後の間仕切り枠４，５に貫通し、さらに、取付け部２の後面下端に紐結び部１３を設け、取付け部２の上面の前面、後面にビスを通すビス孔１４を設け、そして、すだれの下端に取付ける紐結び部１５を設けた紐通し金具１６とからなる。
【００１２】
ストッパー部２１の形状は、図４に示すように、略直角三角形の形状で、上部には軸貫通用孔を設け、下面はギザギザの形状にした滑り止め部２１aを形成し、滑り止め部２１aの下面は紐を固定する際、間仕切り枠５の内面とで平行に圧着するように形成されている。紐は滑り止め部２１aと間仕切り枠５との間を通す。ストッパー用軸２５と当接する面のストッパー部２１の形状は、くびれて欠けている。ストッパー部２２は、ストッパー部２１と同じ形状である。
【実施例３】
【００１３】
本考案の別の実施例としては、図１および図２を基本としながら、すだれの上端部の右か左の端に、断面逆U字型の取り付け部２を取付け、すだれの上端部の中央に前後に滑車を有する滑車装置（図示せず）を取付け、すだれの下端部中央に紐通し金具１６の突出部１６aを孔部１６ｂに通し、紐通し金具１６を取付ける。すだれの上端部の右か左の端に断面逆U字型の取付け部２を取付け、ビス孔１４にビスを通し、取付け部２をすだれの上端部中央に固定し、すだれの下端部中央に突出部１６aを孔部１６ｂに通し、紐通し金具１６を取付ける。
紐の一端を取付け部２の後面下端の紐結び部１３に結び、その紐をすだれの後面に垂らし、すだれの下端部に設けた紐通し金具１６の紐結び部１５に紐を通して、その紐をすだれの前面に回して、すだれの上端部の中央に設けた滑車装置（図示せず）の前の滑車に通し、取付け部２の間仕切り枠５を通し、滑車９に掛け、その紐をストッパー部１１の突起部１１a,１１ｂとの間１１cに通し、すだれの前面に垂らす。その紐がすだれの下端部を通す際、紐通し金具１６を通さなくても良い。
もう一つの紐は、一端を紐通し金具１６の紐結び部１５に結び、その紐をすだれの前面を通して、すだれの上端部の中央に設けた滑車装置（図示せず）の後の滑車に通し、取付け部２の間仕切り枠４を通し、滑車８に掛け、ストッパー部１２の突起部１２a,１２ｂとの間に通し、すだれの前面に垂らす。
【産業上の利用可能性】
【００１４】
住宅の窓などに取付けるすだれについて、日の当たり具合や風通しを考えて、すだれを上げたり、下げたりする際、上げ下げが非常に簡単にでき、適当な高さまで、すだれを上げたり、下げたりでき、すばやく上げ下げができ、すだれの利用を大変便利にする。
【図面の簡単な説明】
【００１５】
【図１】本考案の一実施例の斜視図である。
【図２】本考案の一実施例の斜視図で一部切欠き図である。
【図３】本考案の他の実施例の斜視図である。
【図４】本考案の他の実施例の斜視図で一部切欠き図である。
【図５】本考案の一実施例をすだれに取付け、紐を通した斜視図である。
【符号の説明】
【００１６】
２・・・・取付け部
３・・・・ケーシング
４、５・・間仕切り枠
６，７・・軸
８，９・・滑車
１１，１２・・ストッパー部
１１a,１１b,１２a,１２b・・突起部
１３・・・紐結び部
１４・・・ビス孔
１５・・・紐結び部
１６・・・紐通し金具
２１，２２・・ストッパー部
２１a・・・・滑り止め部
２４・・・紐用の軸
２５・・・ストッパー用軸
【図１】
0003135355.tif 000003
【図２】
0003135355.tif 000004
【図３】
0003135355.tif 000005
【図４】
0003135355.tif 000006
【図５】
0003135355.tif 000007